(57)【特許請求の範囲】
【請求項１】
平面視で横長の長方形を基本形状とし、両横端部には釘打位置の縦位置を決定するための縦マークが、縦端部の端縁から葺き足長さと最小重ね代の合計分以上離れた位置に設けられ、両縦端部には釘打位置の横位置を決定するための横マークが設けられ、
横方向に並ぶ縦マークを結ぶ仮想線が釘打位置の縦方向の位置を決めるための縦位置仮想線となり、縦方向に並ぶ横マークを結ぶ仮想線が釘打位置の横方向の位置を決めるための横位置仮想線となり、縦位置仮想線と横位置仮想線との交点が釘打位置となり、釘穴がないことを特徴とする、平板瓦。
【請求項２】
前記縦マーク及び前記横マークは、縦方向の中央を通る縦中央仮想線に対して対称に形成されていることを特徴とする、請求項１に記載の平板瓦。
【請求項３】
前記縦中央仮想線に沿って分割可能であることを特徴とする、請求項２に記載の平板瓦。
【請求項４】
前記横マークは切り欠き状であることを特徴とする、請求項１〜３のいずれか１項に記載の平板瓦。
【請求項５】
前記縦マークは凸設により形成されていることを特徴とする、請求項１〜４のいずれか１項に記載の平板瓦。
【発明の詳細な説明】
【技術分野】
【０００１】
本発明は、釘を打ち込んで施工する平板瓦に関するものである。
【背景技術】
【０００２】
住宅の屋根材として用いられている瓦は、屋根の外観意匠の大きな担い手であり、また、雨音を軽減し、屋根の防水性を高めるなどの機能性を備えている。
【０００３】
従来、屋根材の一つとして図５に示したような平板瓦１０が提案されている（特許文献１参照）。この平板瓦１０は一品種であっても軒先の納めが可能である。例えば、屋根の軒先に配設される通称スターターと呼ばれる瓦は、平板瓦１０を縦方向の中央を通る縦中央仮想線Ｓ１に沿って二等分することにより同一形状の二枚を得ることができる。そして、このようにして得られるスターターの上に平板瓦１０を一段目の瓦として配設することができる。二段目以降はそのままの平板瓦１０を棟側まで葺き上げ、瓦葺きすることができる。このため、平板瓦１０は、瓦葺きの積算を容易とし、また、建築廃材の削減に有効ともなっている。このような平板瓦１０は、上下反転しても同一形状であるように、平面視で横長の長方形形状を基本形状としている。
【先行技術文献】
【特許文献】
【０００４】
【特許文献１】特開２００４−５２４２７号公報
【発明の概要】
【発明が解決しようとする課題】
【０００５】
上記のような平板瓦１０においては、図５に示すような、釘穴を全く設けていない平板瓦１０や、図６（ａ）に示すような、半貫通の釘穴１１を設けた平板瓦１０が存在する。釘穴１１を半貫通にしているのは、釘穴１１を貫通させてしまうと、水が侵入するおそれがあり、強度も弱くなるおそれがあり、また、意匠性も悪くなるおそれがあるからである。
【０００６】
しかし、図５の釘穴を設けていない平板瓦１０においては、釘打位置Ｐを施工時に現場で確認して、決定する必要がある。現場で釘打位置Ｐを決定する場合、釘打位置Ｐを決めるのが煩雑となり、釘打位置Ｐが定まりにくい。例えば、適切な釘打位置Ｐを決めるために、定規を使用して計測する必要があり、また、計測に従って縦方向や横方向に補助線１２を記入するなどの必要がある。そして、このよう定規で計測しながら釘打位置Ｐを決定するようにすると釘打位置Ｐの適切な位置を定めるのに時間がかかってしまう。また、穴を開けてはいけない位置に釘穴を開けたり釘を打ち込んだりしてしまい、雨漏りの原因となる危険性を伴っている。
【０００７】
一方、図６（ａ）の半貫通の釘穴１１を設けた平板瓦１０は、釘打位置Ｐが容易に認識可能であり、施工性に優れるものである。しかし、半貫通の釘穴１１を設けた平板瓦１０においては、釘が打ち込まれない半貫通の釘穴１１が施工後に残る場合があり、そのような場合には、半貫通の釘穴１１の部分で、経年で汚れが目立ち、意匠性を害するおそれがある。また、半貫通の釘穴１１を設けた平板瓦１０において、屋根釘で穴を貫通させる場合、花咲Ｘ（釘穴１１から延びる裂け）が生じるおそれがあり、平板瓦１０がダメージを受ける場合がある。例えば、図６（ｂ）では、表面から釘が打ち込まれて裏面に花咲Ｘが生じた平板瓦１０の様子を示している。裏面に花咲Ｘが生じる場合、花咲Ｘが表面から確認できず、ダメージを受けたままの平板瓦１０で屋根が施工されるおそれがあり、屋根の強度を低下させるおそれがある。
【０００８】
本発明は上記の事情に鑑みてなされたものであり、意匠性を害したり、強度を弱くしたりすることなく、適切な釘打位置を容易に決めることができ、施工性のよい平板瓦を提供することを目的とする。
【課題を解決するための手段】
【０００９】
本発明に係る平板瓦は、平面視で横長の長方形を基本形状とし、両横端部には釘打位置の縦位置を決定するための縦マークが、縦端部の端縁から葺き足長さと最小重ね代の合計分以上離れた位置に設けられ、両縦端部には釘打位置の横位置を決定するための横マークが設けられ、横方向に並ぶ縦マークを結ぶ仮想線が釘打位置の縦方向の位置を決めるための縦位置仮想線となり、縦方向に並ぶ横マークを結ぶ仮想線が釘打位置の横方向の位置を決めるための横位置仮想線となり、縦位置仮想線と横位置仮想線との交点が釘打位置となり、釘穴がないことを特徴とするものである。
【００１０】
前記平板瓦は、好ましい形態では、前記縦マーク及び前記横マークは、縦方向の中央を通る縦中央仮想線に対して対称に形成されている。また、好ましい形態では、前記縦中央仮想線に沿って分割可能である。また、好ましい形態では、前記横マークは切り欠き状である。また、好ましい形態では、前記縦マークは凸設により形成されている。
【発明の効果】
【００１１】
本発明によれば、適切な釘打位置を簡単に決めることができ、施工性のよい平板瓦を得ることができる。
【図面の簡単な説明】
【００１２】
【図１】本発明に係る平面瓦の実施の形態の一例を説明する平面図である。
【図２】上記の平面瓦の実施の形態の一例を示す平面図である。
【図３】（ａ）、（ｂ）及び（ｃ）は、マーク形状の一例を示す概略図である。
【図４】上記の平板瓦を施工して形成した屋根構造の一例を示す概略平面図である。
【図５】従来の平板瓦の一例を示す平面図である。
【図６】従来の平板瓦の他の一例を示し、（ａ）は平面図、（ｂ）は底面図である。
【発明を実施するための形態】
【００１３】
図２は、本発明に係る平板瓦１の実施の形態の一例を示す平面図である。図１は、この平板瓦１の実施の形態を説明する平面図であり、図２の形態において各種の仮想線を記入している。
【００１４】
平板瓦１は、平面視で横長の長方形を基本形状として形成されている。平板瓦１の両横端部２（横方向の両方の端部）には釘打位置Ｐの縦位置（縦方向の位置）を決定するための縦マーク４が設けられている。平板瓦１の両縦端部３（縦方向の両方の端部）には釘打位置Ｐの横位置（横方向の位置）を決定するための横マーク５が設けられている。
【００１５】
図２の平板瓦１においては、一品種であっても軒先の納めが可能である平面瓦１として形成されている。この平板瓦１は、図１に示すように、縦方向の中央を通って横方向に延伸する縦中央仮想線Ｓ１に沿って二等分に分割可能である。このように平板瓦１を縦に分割することにより同一形状の二枚の瓦を得ることができる。分割された瓦は、屋根の軒先に配設される通称スターターと呼ばれる瓦とすることができる。つまり、平板瓦１は、上下反転しても同一形状に形成されている。このため、平板瓦１は、瓦葺きの積算を容易とし、また、建築廃材の削減に有効なものとなっている。
【００１６】
また、図２の形態においては、図１に示すように、平板瓦１は、横方向の中央を通って縦方向に延伸する横中央仮想線Ｓ２に沿って二等分に分割可能である。横に分割された瓦は、横方向の長さが半分の半瓦として利用することができ、特に、屋根の軒棟方向と垂直な方向の端部に敷設される半瓦として使用可能である。
【００１７】
平板瓦１の大きさについては、特に限定されるものではないが、例えば、短辺（縦辺）が３００〜４５０ｍｍ程度で、長辺（横辺）が４５０〜１０００ｍｍ程度の長方形を基本形状とする平面瓦１にすることができる。
【００１８】
上記の形態においては、平板瓦１の両横端部２には、横方向に突出した凸設部６が形成されている。凸設部６は平面視において矩形状又は台形形状に形成されている。凸設部６は縦中央仮想線Ｓ１を跨って形成されており、縦方向の幅が突出長さに比べて幅広となっている。両横端部２における各凸設部６、６は、同一形状に形成されている。なお、凸設部６は、いずれか一方の横端部２のみに設けられてもよいが、両方の横端部２に設けられていることが好ましい。その場合、分割した際に、同一形状の瓦を得ることができる。
【００１９】
凸設部６の突出長さについては、特に限定されるものではないが、例えば、マーク性の観点から突出長さを１ｍｍ以上にすることができ、意匠性の観点から突出長さを５ｍｍ以下にすることができる。
【００２０】
縦マーク４は、凸設部６の凸設により形成されており、上記の形態では、凸設部６の縁部（付根部又は先端縁部）として形成されている。すなわち、横端部２から凸設部６への凸設の立ち上がり位置、又は、凸設部６の先端縁の位置が、縦マーク４となっている。そして、両横端部２に設けられた凸設部６の縁部の四箇所が、縦マーク４として設けられている。なお、縦マーク４は、凸設部６の付根部や先端縁部に限られるものではなく、後述の横マーク５と同様に、切り欠き状や突起状に形成してもよい（図３参照）。また、縦方向の中央近傍の縦マーク４とは別に、凸設部６と縦端部３との間の位置に、他の縦マーク４を設けてもよい。その場合、縦端部３に近い位置にも釘を打ち込むことが可能となる。
【００２１】
縦マーク４は、縦端部３の端縁から葺き足長さＬ１と最小重ね代Ｌ２の合計分以上離れた位置に設けられている。上記の形態では両側の縦端部３の端縁から前記の距離以上で離れた縦位置（二箇所）に、縦マーク４が形成されている。
【００２２】
図４の施工状態で示されるように、葺き足長さＬ１は、施工した際に平板瓦１が屋根の表面として露出する領域の軒棟方向の長さである。また、最小重ね代Ｌ２は、施工した際に上側に重ねられる平板瓦１の軒側の端部（縦端部３）から、下側に重ねられる平板瓦１の釘打位置Ｐまでの最小限の距離（軒棟方向の長さ）である。ここで、重ね代とは、水仕舞い等のために必要な、上側の平板瓦１の軒側端部（縦端部３）の位置から、この平板瓦１に覆われる下側の平板瓦１の釘打位置Ｐまでの軒棟方向の長さのことである。この重ね代の長さを最小重ね代Ｌ２よりも長く設定することにより、すなわち、釘打位置Ｐを上側の平板瓦１の軒側端部から最小重ね代Ｌ２以上にすることにより、釘を打ちこんだ部分に形成される隙間（釘穴）を上側の平板瓦１の内部側に位置させることができ、防水性等の良好な屋根を形成することができる。
【００２３】
葺き足長さＬ１の長さは、例えば、９０〜２３０ｍｍにすることができるが、これに限定されるものではない。最小重ね代Ｌ２の長さは、例えば、５０ｍｍ以上（上限８０ｍｍ）にすることができるが、これに限定されるものではない。
【００２４】
図１の形態においては、一の横端部２に設けられた複数（図１では二個）の縦マーク４は、縦中央仮想線Ｓ１に対して対称な位置に設けられている。また、一の横端部２と他の横端部２において、横方向に並ぶ縦マーク４、４は、縦位置が同じであり、横中央仮想線Ｓ２に対して対称な位置に設けられている。この横方向に並ぶ二つの縦マーク４、４を結ぶ仮想線が、釘打位置Ｐの縦方向の位置を決めるための縦位置仮想線Ｔ１となる。縦位置仮想線Ｔ１は、横方向に延伸する直線であり、平面瓦１の基本形状における長方形の横辺、あるいは、横中央仮想線Ｓ１、に対して平行な直線となっている。
【００２５】
また、横マーク５は、各縦端部３に複数（図１では各五個）設けられている。一の縦端部３に設けられた複数の横マーク５のうち、横方向の中央に配置された横マーク５以外のものは、横中央仮想線Ｓ２に対して対称な位置に設けられている。また、一の縦端部３と他の縦端部３において、縦方向に並ぶ横マーク５、５は、横位置が同じであり、横中央仮想線Ｓ１に対して対称な位置に設けられている。この縦方向に並ぶ二つの横マーク５、５を結ぶ仮想線が、釘打位置Ｐの横方向の位置を決めるための横位置仮想線Ｔ２となる。横位置仮想線Ｔ２は、縦方向に延伸する直線であり、平面瓦１の基本形状における長方形の縦辺、あるいは、横中央仮想線Ｓ２、に対して平行な直線となっている。
【００２６】
このように、縦マーク４及び横マーク５は、縦横の二つの中央仮想線に対して線対称に形成されていることが好ましい。それにより、分割した場合に同一形状の瓦を得ることができる。
【００２７】
上記形態の平板瓦１では、横マーク５は、切り欠き状に形成されている。横マーク５及び縦マーク４は、図３（ａ）に示すような三角形状の切り欠き（三角ノッチ）であったり、図３（ｂ）に示すような半円形状の切り欠き（丸ノッチ）であったり、図３（ｃ）に示すような四角形又は台形形状の切り欠き（四角ノッチ）であったりしてよい。また、横マーク５は、凸状（又は突起状）に形成されていてもよい。要するに、横マーク５及び縦マーク４は、釘打位置Ｐの指標となるマークとなるものであればよく、形状は特に限定されない。ただし、縦マーク４は、防水性の観点からは、凸設により形成されていることが好ましい。また、横マーク５は、意匠性の観点からは、切り欠き状であることが好ましい。
【００２８】
縦端部３の横方向の中央部分において、縦中央仮想線Ｓ２の線上に設けられた横マーク５は、凹設された切り欠き部分の深部から突起が形成された凹設突起７として形成されている。横方向の中央部分の横マーク５を凹設突起７に形成することによって、横方向の中央位置を容易に判別することができ、平板瓦１の施工性を向上することができる。
【００２９】
横マーク５の切り欠きの大きさについては、特に限定されるものではないが、例えば、マーク性の観点から切り込み深さを１ｍｍ以上にすることができ、意匠性の観点から切り込み深さを５ｍｍ以下にすることができる。
【００３０】
なお、縦マーク４及び横マーク５は、印刷などで形成することもできるが、適切な釘打位置Ｐを簡単に決定するためには平板瓦１の形状が変化して形成されていることが好ましい。また、縦マーク４及び横マーク５は、表面の一部が凹設又は凸設されて刻印等として平板瓦１の表面に設けられていてもよいが、上記の形態のように、横端部２及び縦端部３の端縁に形成されていることが好ましい。マークを端縁に形成することにより、釘打位置Ｐの特定がより容易となる。また、端縁は位置的に汚れが溜まりやすくないため、マークを目立たなくさせることができる。
【００３１】
縦マーク４及び横マーク５は、平板瓦１を構成する材料の成型時に設けられてもよいし、成型後に切り欠き加工して設けられてもよい。
【００３２】
平板瓦１においては、縦位置仮想線Ｔ１と横位置仮想線Ｔ２との交点が釘打位置Ｐとなる。ただし、全ての交点について釘打ちする必要はなく、平板瓦１の施工において必要な交点だけを釘打位置Ｐとすることができる。例えば、平板瓦１の縦半分の領域だけに釘を打ち込むようにすることができる。具体的には、図１の形態では、縦位置仮想線Ｔ１と横位置仮想線Ｔ２との交点のうち、下半分の領域にある交点の釘打位置Ｐ’には釘を打ち込まないようにすることができる。
【００３３】
次に、本発明に係る平板瓦１を施工して屋根を形成する方法の一例を説明する。
【００３４】
図４は、図１及び図２に示した平板瓦１の施工状態を示した概略平面図である。平板瓦１は、瓦葺きに際して屋根面に釘打ち固定される。平板瓦１は、通常、縦方向を軒棟方向にして取り付けられる。
【００３５】
釘打ちは、貫通又は半貫通の釘穴を平板瓦１の表面の釘打位置Ｐに設けた後、その釘穴に釘を打ち込んで行ってもよいし、釘穴を開けずにそのまま平板瓦１の表面から釘打位置Ｐに釘を打ち込んで行ってもよい。また、釘打位置Ｐに、位置が分かり易くなるようにペンなどでマーキング（印付け）してもよい。あるいは、補助線１２（図５参照）を必要な箇所（釘打位置Ｐ付近）にペンなどで記入してもよい。上記の平板瓦１であれば、定規で計測しなくても、縦方向又は横方向に並ぶマークの位置に合わせて必要な箇所に線を引くだけで、補助線１２やマーキングを簡単に記入することができる。また、手打ちで釘を打ち込んでもよいし、専用工具（釘打ち機）を使用して釘打ちしてもよい。専用工具を使えば、強い力で簡単に釘を打ち込むことができる。
【００３６】
そして、釘打ちに際しては、必要な釘打位置Ｐにのみ釘打ちすることができる。図４の施工例では、横位置仮想線Ｔ１と縦位置仮想線Ｔ２との交点のうち、上側に配置される平板瓦１に重ねられる領域の交点を釘打位置Ｐとして採用して釘打ちしている。すなわち、平板瓦１は、横位置仮想線Ｔ１と縦位置仮想線Ｔ２との交点のうち、軒側に配置される交点（図１における釘打位置Ｐ’）には釘打ちせず、棟側に配置される交点（釘打位置Ｐ）において釘打ちされて固定されている。もちろん、釘打ちの位置は軒側の釘打位置Ｐ’にすることもできるが、釘打ちにより釘周辺に隙間が形成されやすいため、雨水の浸入などを考慮するならば棟側に配置される交点を釘打位置Ｐにして釘打ちすることが好ましい。
【００３７】
そして、取り付けられた平板瓦１の横隣りに、横端部２を突き合わせて他の平板瓦１を取り付ける。ここで、横方向で隣り合う平板瓦１、１は、対向する凸設部６、６を付き合わせて配設されている。そして、凸設部６、６で付き合わせられることにより、隣り合う平板瓦１、１の間には、二つの凸設部６の突出長さ分の隙間８が形成されている。このように隙間８を形成することにより、平板瓦１、１の突合せ部分の間から毛細管現象により水が上昇して浸入することを抑制することができ、また、突合せ部分で水が上昇したとしても、隙間８で水切りすることが可能となり、屋根の防水性を高めることができる。
【００３８】
このようにして、複数の平板瓦１を横方向に取り付けることにより、軒棟方向に垂直な方向に平板瓦１が一つの段として取り付けられる。
【００３９】
次に、次段の平板瓦１を、既に取り付けた段（前段）の平板瓦１の上に重ねて取り付ける。釘打ちについては、上記と同様に行うことができる。このとき、前段の平板瓦１を打ち込んだ釘の釘頭を覆って平板瓦１を取り付けるようにすることで、釘の隙間（釘穴）を上側の平板瓦１で覆って塞ぐことができる。それにより、防水性が向上し、また、釘が隠れて意匠性が向上する。
【００４０】
また、図４の形態のように、隣り合う段の平板瓦１を略半分横方向にずらして、千鳥状に各段の平板瓦１を配置することも好ましい。このようにすると、屋根表面に段状の変化がついて意匠性が向上する。また、この場合、平板瓦１を縦に分割した半瓦を軒棟方向と垂直な方向の端部に配置させてもよい。
【００４１】
そして、次々段、さらにその次の段、・・・といったように、各段の平板瓦１を軒側から棟側に向って屋根面に取り付けることによって、屋根を形成することができる。
【００４２】
上記のような平板瓦１では、縦マーク４及び横マーク５によって釘打位置Ｐを決めることができるので、適切な釘打位置Ｐを簡単に特定することができる。そして、容易に釘打位置Ｐを特定できるので、釘打ちが容易となり平板瓦１の施工性を向上することができる。また、釘打位置Ｐの特定が容易であるので、釘を打ち込む位置を間違えて穴が開いたりすることがなくなって、穴あけに起因する雨漏れの危険性を減少させることができる。また、釘穴１１が設けられていないので、専用工具を使用して釘打ちしても釘穴周りを傷めることが少なくなり、花咲Ｘ（図６（ｂ）参照）などが生じることを抑制できる。
【符号の説明】
【００４３】
１      平板瓦
２      横端部
３      縦端部
４      縦マーク
５      横マーク
６      凸設部
７      凹設突起
８      隙間
Ｐ      釘打位置
Ｓ１    縦中央仮想線
Ｓ２    横中央仮想線
Ｔ１    縦位置仮想線
Ｔ２    横位置仮想線
Ｌ１    葺き足長さ
Ｌ２    最小重ね代
１０    平板瓦
１１    釘穴
１２    補助線
【図１】
0005739692.tif 000002
【図２】
0005739692.tif 000003
【図３】
0005739692.tif 000004
【図４】
0005739692.tif 000005
【図５】
0005739692.tif 000006
【図６】
0005739692.tif 000007